(57)【要約】【課題】本発明は、乗り物での画像形成を個人情報の保護を図りつつ行う画像形成装置、画像形成システム、画像形成制御方法、画像形成制御プログラム及び記録媒体に関する。【解決手段】画像形成システム１は、公共交通機関の乗り物に乗る乗客の携帯する携帯記憶媒体Ｒｍから予約座席情報を改札装置２で読み取って、該予約座席情報を予約座席に対応させて記憶装置４に記憶し、乗り物の予約座席に設けられている通信端末３には、ネットワークＮＷ上のＩＰアドレスが割り当てられており、この通信端末３に接続される携帯情報端末からネットワークＮＷに接続されている画像形成装置５に印刷データを送信して印刷要求が行われると、予め記憶されているＩＰアドレスと予約座席との対応関係から該通信端末３のＩＰアドレスに対応する予約座席を特定して記憶装置４から該予約座席の乗客が改札装置２を通過していることが確認されると、該印刷データの印刷を許可する。【選択図】          図１
2010039843.tif 000002
【特許請求の範囲】
【請求項１】
公共交通機関の乗り物の予約座席を特定する予約座席情報の記録されている携帯記憶媒体と、所定のネットワークに接続され該乗り物に乗る乗客の携帯する該携帯記憶媒体の予約座席情報を読み取る改札手段と、該ネットワークに接続され該乗り物の該予約座席と該改札手段から送られてくる予約座席情報を対応させて乗降情報として記憶する予約座席情報記憶手段とを有する該公共交通機関の交通管理システムのネットワークに接続されているとともに該乗り物に搭載され、該ネットワークを介して送られてくる印刷データに基づいて用紙に画像を形成する画像形成装置であって、前記乗り物の前記予約座席に設けられて前記ネットワークに接続され該ネットワーク上のネットワークアドレスが割り当てられていて携帯情報端末の接続される通信端末と、該通信端末のネットワークアドレスと該予約座席とを対応させたネットワークアドレス・予約座席情報を記憶するアドレス予約座席情報記憶手段と、該通信端末に接続された該携帯情報端末から印刷データが送られてくると、該アドレス予約座席情報記憶手段から該通信端末のネットワークアドレスに対応する予約座席を特定して前記予約座席情報記憶手段から該予約座席の乗客が該乗り物に乗るために前記改札手段を通過しているか判断して該乗客が通過していると該印刷データの印刷を許可する制御手段と、を備えていることを特徴とする画像形成装置。
【請求項２】
公共交通機関の乗り物の予約座席を特定する予約座席情報の記録されている携帯記憶媒体と、所定のネットワークに接続され該乗り物に乗る乗客の携帯する該携帯記憶媒体の予約座席情報を読み取る改札手段と、該ネットワークに接続され該乗り物の該予約座席と該改札手段から送られてくる予約座席情報を対応させて乗降情報として記憶する予約座席情報記憶手段と、該乗り物の該予約座席に設けられて該ネットワークに接続され該ネットワーク上のネットワークアドレスが割り当てられていて携帯情報端末の接続される通信端末と、該ネットワークに接続されているとともに該乗り物に搭載され該ネットワークを介して該通信端末に接続された該携帯情報端末から送られてくる印刷データに基づいて用紙に画像を形成する画像形成装置と、該通信端末のネットワークアドレスと該予約座席とを対応させたネットワークアドレス・予約座席情報を記憶するアドレス予約座席情報記憶手段と、該通信端末に接続された該携帯情報端末から該画像形成装置に送信される印刷データに対して、該アドレス予約座席情報記憶手段から該通信端末のネットワークアドレスに対応する予約座席を特定して前記予約座席情報記憶手段から該予約座席の乗客が該乗り物に乗るために該改札手段を通過しているか判断して該乗客が通過していると該印刷データの印刷を許可する制御手段と、を備えていることを特徴とする画像形成システム。
【請求項３】
前記画像形成装置は、前記通信端末を介して前記携帯情報端末から送信されてきた前記印刷データを保管するデータ記憶手段と、前記携帯記憶媒体の予約座席情報を読み取る読み取り手段と、備え、前記制御手段は、該携帯情報端末から該通信端末を介して印刷データが送信されてくると、前記アドレス予約座席情報記憶手段から該通信端末のネットワークアドレスに対応する前記予約座席を特定して該予約座席と該印刷データを関連付けて該データ記憶手段に保管させ、該読み取り手段が該携帯記憶媒体の予約座席情報を読み取ると、該データ記憶手段に保管されている印刷データのうち該予約座席情報に対応する該印刷データの印刷を許可することを特徴とする請求項１記載の画像形成装置または請求項２記載の画像形成システム。
【請求項４】
前記画像形成装置または前記画像形成システムは、前記乗り物の現在位置を取得する現在位置取得手段をさらに備え、前記予約座席情報記憶手段は、前記予約座席情報として前記予約座席の予約区間をも記憶し、前記制御手段は、該乗り物の現在位置が該予約区間内であるときにのみ前記印刷データの印刷を許可することを特徴とする請求項１から請求項３のいずれかに記載の画像形成装置または前記画像形成システム。
【請求項５】
前記改札手段は、前記乗り物から降りる乗客の携帯する前記携帯記憶媒体の予約座席情報を読み取り、前記予約座席情報記憶手段は、前記予約座席情報として該改札手段の読み取った予約座席の乗客の該乗り物から降りた情報をも記憶し、前記制御手段は、前記データ記憶手段の前記印刷データのうち、該予約座席情報記憶手段の該予約座席情報に該乗り物から降りた情報の記憶されている予約座席に対応する印刷データを削除することを特徴とする請求項１から請求項４のいずれかに記載の前記画像形成装置または前記画像形成システム。
【請求項６】
前記画像形成装置または前記画像形成システムは、前記乗り物の現在位置を取得する現在位置取得手段をさらに備え、前記予約座席情報記憶手段は、前記予約座席情報として前記予約座席の予約区間をも記憶し、前記制御手段は、前記データ記憶手段の前記印刷データのうち、該現在位置取得手段の取得した乗り物の現在位置が該予約区間外である予約座席に対応する印刷データを削除することを特徴とする請求項４記載の前記画像形成装置または前記画像形成システム。
【請求項７】
公共交通機関の乗り物に搭載され、所定のネットワークを介して送られてくる印刷データに基づいて用紙に画像を形成する画像形成装置であって、前記乗り物の予約座席を特定する予約座席情報の記録されている携帯記憶媒体と、乗客の携帯する該携帯記憶媒体の予約座席情報を読み取る読み取り手段と、該乗り物の該予約座席に設けられて前記ネットワークに接続され該ネットワーク上のネットワークアドレスが割り当てられていて携帯情報端末の接続される通信端末と、該読み取り手段が該携帯記憶媒体から該予約座席情報を読み取ると、該予約座席に割り当てられているネットワークアドレスの該通信端末に接続されている該携帯情報端末からの印刷データに対する印刷を許可する制御手段と、を備えていることを特徴とする画像形成装置。
【請求項８】
公共交通機関の乗り物の予約座席を特定する予約座席情報の記録されている携帯記憶媒体と、該乗り物の該予約座席に設けられて所定のネットワークに接続され該ネットワーク上のネットワークアドレスが割り当てられていて携帯情報端末の接続される通信端末と、該ネットワークに接続されているとともに該乗り物に搭載され該ネットワークを介して該通信端末に接続された該携帯情報端末から送られてくる印刷データに基づいて用紙に画像を形成する画像形成装置と、乗客の携帯する該携帯記憶媒体の予約座席情報を読み取る読み取り手段と、該読み取り手段が該携帯記憶媒体から該予約座席情報を読み取ると、該予約座席に割り当てられているネットワークアドレスの該通信端末からの印刷データに対する印刷を許可する制御手段と、を備えていることを特徴とする画像形成システム。
【請求項９】
前記画像形成装置は、前記通信端末を介して前記携帯情報端末から送信されてきた前記印刷データを保管するデータ記憶手段を備え、前記制御手段は、該携帯情報端末から該通信端末を介して印刷データが送信されてくると、該印刷データを該通信端末の前記ネットワークアドレスに関連付けて該データ記憶手段に一旦保管させ、前記読み取り手段が前記携帯記憶媒体の予約座席情報を読み取ると、該データ記憶手段に保管されている印刷データのうち該予約座席情報に対応する該印刷データの印刷を許可することを特徴とする請求項７記載の画像形成装置または請求項８記載の画像形成システム。
【請求項１０】
前記画像形成装置または前記画像形成システムは、前記乗り物の現在位置を取得する現在位置取得手段をさらに備え、前記携帯記憶媒体は、前記予約座席情報として前記予約座席の予約区間をも記憶し、前記制御手段は、該乗り物の現在位置が前記読み取り手段の読み取った該予約座席の該予約区間内であるときにのみ前記印刷データの印刷を許可することを特徴とする請求項７から請求項９のいずれかに記載の画像形成装置または前記画像形成システム。
【請求項１１】
公共交通機関の乗り物に乗る乗客の携帯する予約座席を特定する予約座席情報の記録されている携帯記憶媒体から該予約座席情報を読み取る改札処理ステップと、該乗り物の該予約座席と該改札処理ステップで読み取られて所定のネットワークを介して送られてくる予約座席情報を対応させて乗降情報として予約座席情報記憶手段に記憶する予約座席情報記憶処理ステップと、該乗り物の該予約座席に設けられて該ネットワークに接続され該ネットワーク上のネットワークアドレスが割り当てられている通信端末に接続される携帯情報端末から該ネットワークに接続されている画像形成装置に印刷データを送信して印刷要求を行う印刷要求処理ステップと、該通信端末に接続された携帯情報端末から印刷データが送られてくると、該通信端末のネットワークアドレスと該予約座席とを対応させてネットワークアドレス・予約座席情報として記憶するアドレス予約座席情報記憶手段から該通信端末のネットワークアドレスに対応する予約座席を特定して該予約座席情報記憶手段から該予約座席の乗客が該改札処理ステップによって該乗り物に乗るために通過していることが確認されていると該印刷データの印刷を許可する制御処理ステップと、を有していることを特徴とする画像形成制御方法。
【請求項１２】
前記画像形成制御方法は、前記通信端末を介して前記携帯情報端末から送信されてきた前記印刷データをデータ記憶手段に保管するデータ保管処理ステップと、前記携帯記憶媒体の予約座席情報を読み取る読み取り処理ステップと、をさらに有し、前記制御処理ステップは、該携帯情報端末から該通信端末を介して印刷データが送信されてくると、該データ保管処理ステップで、前記アドレス予約座席情報記憶手段から該通信端末のネットワークアドレスに対応する前記予約座席を特定して該予約座席に関連付けて該印刷データを該データ記憶手段に保管させ、該読み取り処理ステップで該携帯記憶媒体の予約座席情報を読み取ると、該データ記憶手段に保管されている印刷データのうち該予約座席情報に対応する該印刷データの印刷を許可することを特徴とする請求項１１記載の画像形成制御方法。
【請求項１３】
コンピュータに、公共交通機関の乗り物に乗る乗客の携帯する予約座席を特定する予約座席情報の記録されている携帯記憶媒体から該予約座席情報を読み取る改札処理と、該乗り物の該予約座席と該改札処理で読み取られて所定のネットワークを介して送られてくる予約座席情報を対応させて乗降情報として予約座席情報記憶手段に記憶する予約座席情報記憶処理と、該乗り物の該予約座席に設けられて該ネットワークに接続され該ネットワーク上のネットワークアドレスが割り当てられている通信端末に接続される携帯情報端末から該ネットワークに接続されている画像形成装置に印刷データを送信して印刷要求を行う印刷要求処理と、該通信端末から印刷データが送られてくると、該通信端末のネットワークアドレスと該予約座席とを対応させてネットワークアドレス・予約座席情報として記憶するアドレス予約座席情報記憶手段から該通信端末のネットワークアドレスに対応する予約座席を特定して該予約座席情報記憶手段から該予約座席の乗客が該改札処理によって該乗り物に乗るために通過していることが確認されていると該印刷データの印刷を許可する制御処理と、を実行させることを特徴とする画像形成制御プログラム。
【請求項１４】
前記画像形成制御プログラムは、コンピュータに、前記通信端末を介して前記携帯情報端末から送信されてきた前記印刷データをデータ記憶手段に保管するデータ保管処理と、前記携帯記憶媒体の予約座席情報を読み取る読み取り処理と、をさらに実行させ、前記制御処理で、該携帯情報端末から該通信端末を介して印刷データが送信されてくると、該データ保管処理で前記アドレス予約座席情報記憶手段から該通信端末のネットワークアドレスに対応する前記予約座席を特定して該予約座席に関連付けて該印刷データを保管させ、該読み取り処理で該携帯記憶媒体の予約座席情報を読み取ると、該データ記憶手段に保管されている印刷データのうち該予約座席情報に対応する該印刷データの印刷を許可することを特徴とする請求項１３記載の画像形成制御プログラム。
【請求項１５】
請求項１３または請求項１４記載の画像形成制御プログラムを記録したことを特徴とするコンピュータが読み取り可能な記録媒体。
【発明の詳細な説明】
【技術分野】
【０００１】
本発明は、画像形成装置、画像形成システム、画像形成制御方法、画像形成制御プログラム及び記録媒体に関し、詳細には、公共交通機関の乗り物上での画像形成を個人情報の保護を図りつつ適切に行う画像形成装置、画像形成システム、画像形成制御方法、画像形成制御プログラム及び記録媒体に関する。
【背景技術】
【０００２】
従来からデジタル複写装置やデジタルプリンタ装置等の画像形成装置においては、ハードディスク等の画像データ保存用のメモリを装備して、機密書類等の他人に見られたくない書類のコピーやプリントアウトを行うために、画像データを一旦該メモリ上に記憶させ、画像形成装置の操作パネルから画像データを指定してユーザパスワードとユーザＩＤが入力されると、該指定された画像データの画像を記録出力する機能を備えている。
【０００３】
ところが、ユーザの確認を行って画像形成するために、ユーザパルスワードとユーザＩＤの操作パネルからの入力を求めると、いちいち画像形成を要求する毎に、ユーザパスワードとユーザＩＤを操作パネルから入力する必要があり、利用性が悪いととともに、ユーザパスワードとユーザＩＤの確認を行ってから画像形成装置のウォーミングアップを行うため、画像形成出力が開始されるまでにウォーミングアップの時間だけ待たされることとなり、利用性が悪いという問題があった。
【０００４】
そこで、従来、印刷データと第１の識別情報を受信してデータ格納部に保管し、メモリに第２の識別情報を格納した非接触媒体から該第２の識別情報を取得して、第２の識別情報に対応する該第１の識別情報に対応する印刷データをデータ格納部から読み出して印刷出力する画像形成装置が提案されている（特許文献１参照）。
【０００５】
そして、この特許文献１記載の従来技術では、識別情報として、個人を特定する個人情報が用いられている。
【０００６】
【特許文献１】特開２００５−３３５２８２号公報
【発明の開示】
【発明が解決しようとする課題】
【０００７】
しかしながら、上記特許文献１記載の従来技術にあっては、画像形成装置の利用者を特定するために、非接触媒体を用いることで、ユーザパルスワードとユーザＩＤの入力操作を省いて、利便性を向上させているが、画像形成装置の利用者個人を特定する個人情報としては、例えば、社員番号等が用いられており、個人を認証するために画像形成装置に個人識別情報を提供する必要がありセキュリティに課題がある。その結果、個人情報の保護を図る上で、改良の必要があり、公共交通機関の乗り物上で画像形成装置を利用して印刷出力を行う場合には、特に、個人情報の保護が要望される。
【０００８】
すなわち、近年、列車（新幹線、特急列車等）、飛行機、フェリー船等の公共交通機関の乗り物においてもネットワーク化が進み、該乗り物の座席に設けられている有線または無線のネットワークのネットワーク通信端末に、ノート型パーソナルコンピュータ、ＰＤＡ（Personal Digital Assistants ）等の携帯情報端末を接続して、該ネットワークに接続されているプリンタ等の画像形成装置を利用して印刷出力することが行われている。このような公共交通機関の乗り物のネットワークを利用した画像形成においては、特に、個人情報の保護が要望される。
【０００９】
そこで、本発明は、公共交通機関の乗り物上での画像形成を、個人情報を保護しつつ、利用性が良好な状態で適切に行う画像形成装置、画像形成装置、画像形成システム、画像形成制御方法、画像形成制御プログラム及び記録媒体を提供することを目的としている。
【課題を解決するための手段】
【００１０】
本発明は、上記目的を達成するために、公共交通機関の乗り物に乗る乗客の携帯する予約座席を特定する予約座席情報の記録されている携帯記憶媒体から改札で該予約座席情報を読み取って、該読み取られた予約座席情報と乗り物の予約座席を対応させて乗降情報として予約座席情報記憶手段に記憶し、該乗り物の該予約座席に設けられて改札及びネットワークに接続され該ネットワーク上のネットワークアドレスが割り当てられている通信端末に接続される携帯情報端末から該ネットワークに接続されている画像形成装置に印刷データを送信して印刷要求が行われて印刷データが送られてくると、該通信端末のネットワークアドレスと予約座席とを対応させてネットワークアドレス・予約座席情報として記憶するアドレス予約座席情報記憶手段から該通信端末のネットワークアドレスに対応する予約座席を特定して前記予約座席情報記憶手段から該予約座席の乗客が該改札によって該乗り物に乗るために通過していることが確認されていると該印刷データの印刷を許可することを特徴としている。
【００１１】
また、本発明は、前記携帯情報端末から前記通信端末を介して印刷データが送信されてくると、前記アドレス予約座席情報記憶手段から該通信端末のネットワークアドレスに対応する前記予約座席を特定して該予約座席に関連付けて該印刷データをデータ記憶手段に保管し、前記携帯記憶媒体の予約座席情報を画像形成装置の読み取り手段が読み取ると、該データ記憶手段に保管されている印刷データのうち該予約座席情報に対応する該印刷データの印刷を許可することを特徴としてもよい。
【００１２】
さらに、本発明は、前記乗り物の現在位置を現在位置取得手段で取得し、該乗り物の現在位置が予約座席の予約区間内であるときにのみ前記印刷データの印刷を許可することを特徴としてもよい。
【００１３】
また、本発明は、乗客の携帯する前記乗り物の予約座席を特定する予約座席情報の記録されている携帯記憶媒体の該予約座席情報を画像形成装置の読み取り手段で読み取ると、該乗り物の該予約座席に設けられて前記ネットワークに接続され該ネットワーク上のネットワークアドレスが割り当てられている通信端末に接続された携帯情報端末からの印刷データに対する印刷を許可することを特徴としてもよい。
【発明の効果】
【００１４】
本発明によれば、公共交通機関の乗り物上での画像形成を、個人情報を保護しつつ、利用性が良好な状態で行うことができる。
【発明を実施するための最良の形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図６は、本発明の画像形成装置、画像形成システム、画像形成制御方法、画像形成制御プログラム及び記録媒体の第１実施例を示す図であり、図１は、本発明の画像形成装置、画像形成システム、画像形成制御方法、画像形成制御プログラム及び記録媒体の第１実施例を適用した画像形成システム１のシステム構成図である。
【００１７】
図１において、画像形成システム１は、ＬＡＮ（Local Area Network）等のネットワークＮＷに、改札装置２、通信端末３、記憶装置４、画像形成装置５が接続されており、画像形成装置５を利用する乗客が、携帯記憶媒体Ｒｍを所持している。このネットワークＮＷは、列車（新幹線、特急列車等）、飛行機、フェリー船等の公共交通機関における既存の公共交通管理システムに用いられている乗車管理ネットワーク等の少なくとも乗客の乗降を管理する管理ネットワークに適用可能である。
【００１８】
携帯記憶媒体Ｒｍは、非接触型ＩＣカード等が用いられ、公共交通機関の乗り物の予約座席に関する情報（以下、予約座席情報という。）を記憶している。携帯記憶媒体Ｒｍは、該乗り物の予約座席を予約した乗客が所持して、改札装置２を通過する際に、かざすこと等によって改札装置２に近づけられる。
【００１９】
改札装置（改札手段）２は、公共交通機関の該画像形成装置５の設置されている公共交通機関の乗り物への乗車の有無を管理するものであり、乗客によって近づけられた携帯記憶媒体Ｒｍの記憶内容である予約座席情報を非接触で読み取る記憶読み取り部、例えば、非接触型ＩＣカードリーダ等を備えていて、該読み取った予約座席情報を、ネットワークＮＷを介して記憶装置４に送信する。
【００２０】
通信端末３は、公共交通機関の乗り物の各予約座席に設けられた携帯情報端末の接続される通信端末であり、それぞれネットワークアドレス（例えば、ＩＰアドレス）が割り当てられている。
【００２１】
記憶装置（記憶手段）４は、公共交通機関の乗り物の予約座席毎に該予約座席を特定する情報（予約座席番号等）、該予約座席の予約の有無情報、予約座席を予約した乗客が乗り物に乗るために、また、乗り物を降りて改札装置２を通過したか否かの改札情報、予約席の予約区間情報及び各予約座席に配設されている通信端末３のネットワークアドレスを対応させて記憶する。
【００２２】
画像形成装置５は、公共交通機関の乗り物内に設置され、後述するように、例えば、電子写真方式で画像を印刷出力するが、予め記憶装置４に登録されている予約座席のネットワークアドレスの通信端末３に接続された携帯情報端末からの印刷要求に対してのみ、印刷を許可して該携帯情報端末からの印刷データの印刷処理を行う。
【００２３】
この画像形成装置５としては、例えば、図２に示すように、図示しない本体筐体内に、給紙部１０、光書込ユニット２０、イエロー（Ｙ）、マゼンタ（Ｍ）、シアン（Ｃ）及びブラック（Ｂｋ）の各色用の感光体３０Ｙ、３０Ｍ、３０Ｃ、３０Ｂｋ、各色の感光体３０Ｙ、３０Ｍ、３０Ｃ、３０Ｂｋに対応する図示しない各色のトナーカートリッジを有する現像ユニット、転写ユニット４０及び定着部５０等が収納されている。
【００２４】
画像形成装置５は、給紙部１０が本体筐体内の最下部に配設され、その上部に、略水平方向に配設された転写ユニット４０に沿って各色の感光体３０Ｙ、３０Ｍ、３０Ｃ、３０Ｂｋと光書込ユニット２０が配設され、さらに、転写ユニット４０の上部に、定着部５０が配設されている。光書込ユニット２０は、各色の画像データに基づいて変調した書き込み光をそれぞれ対応する感光体３０Ｙ、３０Ｍ、３０Ｃ、３０Ｂｋに照射して、感光体３０Ｙ、３０Ｍ、３０Ｃ、３０Ｂｋ上に静電潜像を形成し、現像ユニットは、各色のトナーを対応する感光体３０Ｙ、３０Ｍ、３０Ｃ、３０Ｂｋに供給して静電潜像を現像することで、トナー画像を形成する。
【００２５】
給紙部１０は、複数枚の用紙（シート状部材）１１を収納する給紙カセット１２、送り出しローラ１３及びレジストローラ対１４等を備えており、本体筐体内の最下部に配設されている。
【００２６】
給紙部１０は、その送り出しローラ１３が給紙カセット１２内の用紙１１を１枚ずつレジストローラ対１４に送り出し、レジストローラ対１４が、送り出しローラ１３で送り出された用紙１１をタイミング調整した後、転写ユニット４０に搬送する。
【００２７】
転写ユニット４０は、中間転写ベルト（無端ベルト）４１、駆動ローラ４２、従動ローラ４３、転写ローラ４４Ｙ、４４Ｍ、４４Ｃ、４４Ｂｋ、テンションローラ４５及び転写ローラ４６等を備えており、中間転写ベルト４１は、エンドレスの帯状に形成されて、駆動ローラ４２と従動ローラ４３に張り渡されている。この中間転写ベルト４１に沿って、上記イエロー（Ｙ）、マゼンタ（Ｍ）、シアン（Ｃ）及びブラック（Ｂｋ）の各色用の感光体３０Ｙ、３０Ｍ、３０Ｃ、３０Ｂｋが配設されている。テンションローラ４５は、中間転写ベルト４１に所定のテンションを付与する。
【００２８】
転写ユニット４０は、駆動ローラ４２が中間転写ベルト駆動モータ（駆動モータ）により回転駆動されることで、図２の反時計方向（図２に矢印で示す方向）に中間転写ベルト４１を回転駆動する。
【００２９】
中間転写ベルト４１は、各感光体３０Ｙ、３０Ｍ、３０Ｃ、３０Ｂｋ上の各色のトナー画像（現像剤像）が転写ローラ４４Ｙ、４４Ｍ、４４Ｃ、４４Ｂｋによって順次重ね合わされて転写され、当該トナー画像の転写された状態で駆動ローラ４２まで回転して、当該駆動ローラ４２部分で中間転写ベルト４１を挟んで駆動ローラ４２に対向する位置に配設されている転写ローラ４６により、給紙部１０から当該転写ローラ４６と中間転写ベルト４１との間に搬送されてきた用紙１１にトナー画像を転写する。
【００３０】
そして、画像形成装置５は、中間転写ベルト４１上のトナー画像の濃度を読み取る濃度センサ４７が設けられている。
【００３１】
定着部５０は、所定の定着温度に加熱された定着ローラ５１及び定着ローラ５１に所定の加圧力で押圧されている加圧ローラ５２等を備えており、定着ローラ５１と加圧ローラ５２との間に搬送されてきた用紙１１を搬送しつつ加熱・加圧して用紙１１上のトナー画像を用紙１１に定着させて、図示しない排紙トレイ上に排出する。
【００３２】
上記各感光体３０Ｙ、３０Ｍ、３０Ｃ、３０Ｂｋは、感光体モータによって、中間転写ベルト４１は、中間転写ベルトモータ及び転写ローラとレジストローラ対１４は、用紙搬送モータによって、それぞれ独立して回転駆動される。また、本実施例の画像形成装置５は、中間転写ベルトモータとして、ステッピングモータが用いられ、感光体モータ及び用紙搬送モータとして、ＤＣブラシレスモータが用いられている。
【００３３】
そして、画像形成装置５は、図３に示すようにブロック構成されており、制御部６０、コンピュータインターフェイス部６１、プロッタ部６２、画像メモリ部６３、操作パネル６４、プリントジョブ管理部６５、調整部６６、読み取り部６７、通信制御部６８及び記憶部６９等を備えている。
【００３４】
制御部（制御手段）６０は、画像形成装置５の各部を制御して、画像形成装置５としての基本機能を実行するとともに、本発明の画像形成制御処理を実行する。
【００３５】
コンピュータインターフェイス部６１は、上記ネットワークＮＷを介して画像形成装置５に印刷要求と印刷データを送信する携帯情報端末との間で通信を行い、プロッタ部６２は、制御部６０の制御下で、上記電子写真方式によって用紙に画像を印刷出力する。
【００３６】
画像メモリ部（データ記憶手段）６３は、ハードディスク等が用いられ、携帯情報端末から送られてきた印刷データ等のデータを制御部６０の制御下で格納する。操作パネル６４は、画像形成装置５に印刷処理を行わせるための各種操作を行う各種操作キーを備えるとともに、ディスプレイ（例えば、液晶ディスプレイ）を備えており、操作キーからは、印刷部数等の画像形成装置５を動作させるのに必要な各種命令が入力操作され、ディスプレイには、操作キーで入力された各種命令内容や画像形成装置５から利用者（乗客）に通知する各種情報が表示される。そして、操作パネル６４は、操作内容を制御部６０に出力し、また、制御部６０の制御下で、ディスプレイに上記各種情報を表示する。
【００３７】
プリントジョブ管理部６５は、画像形成装置５に要求される印刷要求と印刷データを印刷ジョブとして受け付けて該印刷ジョブの順番等を管理し、印刷実行管理を行う。調整部６６は、制御部６０の制御下で、印刷データの印刷処理における色ずれ、濃度等の調整処理を行う。
【００３８】
読み取り部（読み取り手段）６７は、所定の近距離範囲内の非接触型ＩＣカード等の携帯記憶媒体Ｒｍと無線通信を行って、該携帯記憶媒体Ｒｍの記憶内容である予約座席情報を読み取り、読み取った予約座席情報を制御部６０に出力する。
【００３９】
通信制御部６８は、コンピュータインターフェイス部６１、ネットワークＮＷ及び通信端末３を介しての携帯情報端末との通信を制御する。通信制御部６８は、予め通信端末３のＩＰアドレス（ネットワークアドレス）と予約座席とを対応させたネットワークアドレス・予約座席情報を記憶し、アドレス予約座席情報記憶手段として機能している。
【００４０】
記憶部６９は、不揮発性メモリ等で構成され、画像形成装置５を動作させるためのパラメータ等を記憶する。
【００４１】
上記制御部６０は、図４に示すようにブロック構成されており、ＣＰＵ（Central Processing Unit ）７０、操作パネル６４、ＲＯＭ（Read Only Memory）７１、ＲＡＭ（Random Access Memory）７２、Ｉ／Ｏ７３及び上記記憶部としてのＥＥＰＲＯＭ（Electrically Erasable and Programmable ＲＯＭ ）６９、上記外部Ｉ／Ｆ６１、画像メモリ６３、操作パネル６４等を備えていて、主要各部は、バス７４で接続されている。
【００４２】
ＲＯＭ７１内には、画像形成装置５としての基本プログラムと後述する画像形成制御プログラム及びこれらの各種プログラムを実行するのに必要な各種データが予め格納されており、ＲＡＭ７２は、ＣＰＵ７０のワークメモリ等として利用されて、各種データを記憶する。
【００４３】
ＣＰＵ７０は、ＲＯＭ７１内のプログラムに基づいて画像形成装置５の各部を制御して、画像形成装置５としての基本処理を実行するとともに、後述する画像形成制御処理を実行する。
【００４４】
Ｉ／Ｏ７３には、上記光書込ユニット２０、感光体３０Ｙ、３０Ｍ、３０Ｃ、３０Ｂｋ、転写ユニット４０、定着部５０及び上記濃度センサ４７等の各種センサ、感光体モータ、中間転写ベルトモータ及び用紙搬送モータ等の各種モータ等が接続されて、各種センサからの信号を受信して、各ユニットとの間のデータの授受を行って、ＣＰＵ７０の制御下で、該各種ユニットを動作させ、また、各種モータの動作を制御する。さらに、外部Ｉ／Ｆ６１は、上記コンピュータインターフェイス部であり、ネットワークＮＷを介して携帯情報端末との間で信号の授受を行って、印刷データの送受信を行う。
【００４５】
そして、画像形成装置５は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像形成制御方法を実行する画像形成制御プログラムを読み込んでＲＯＭ７１等に導入することで、ＩＣカード等の携帯記憶媒体Ｒｍの記憶内容である予約座席情報に基づいて画像形成を制御する画像形成制御方法を実行する画像形成装置として構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４６】
また、画像形成システム１は、ＲＯＭ、ＥＥＰＲＯＭ等のコンピュータが読み取り可能な記録媒体に記録されている本発明の画像形成制御方法を実行する画像形成制御プログラムを読み込んで記憶装置４または図示しない公共交通管理システムの管理装置の記憶装置等に導入することで、後述するＩＣカード等の携帯記憶媒体Ｒｍの記憶内容である予約座席情報に基づいて画像形成を制御する画像形成制御方法を実行する画像形成システムとして構築されている。この画像形成制御プログラムは、上記記録媒体に格納して頒布することができる。
【００４７】
次に、本実施例の作用を説明する。本実施例の画像形成システム１は、公共交通機関の乗り物の予約座席を予約した乗客が携帯記憶媒体Ｒｍを使用して改札装置２を通過することで、該予約座席に設けられている通信端末３を利用して携帯情報端末から画像形成装置５を使用した印刷を許可する画像形成制御処理を実行する。
【００４８】
すなわち、画像形成システム１は、予め乗り物の予約座席の予約が行われると、図示しない公共交通管理システムの管理装置が記憶装置４に必要な予約情報を登録し、その後、乗り物の発車時刻に応じて、改札装置２による改札を開始する。画像形成システム１は、改札装置２に対して、予約座席を予約している乗客が該乗客に対して予め発行されて予約座席情報の記録されている非接触型の携帯記憶媒体Ｒｍをかざす等によって近づけると、改札装置２が該携帯記憶媒体Ｒｍの記憶内容である予約座席情報を読み取り、ネットワークＮＷを介して記憶装置４に送る。この携帯記憶媒体Ｒｍの記憶内容である予約座席情報としては、少なくとも予約座席が記録されている。
【００４９】
記憶装置４は、改札装置２から予約座席情報が送られてくると、該乗り物の予約座席に対して発行した該携帯記憶媒体Ｒｍを携帯した乗客が改札装置２を通過した旨を該予約座席に対応させて乗降情報として登録する。そして、画像形成装置５は、その通信制御部６８に、予約座席とネットワークＮＷに接続されている通信端末３のネットワークアドレスを対応させたネットワークアドレス・予約座席情報が予め格納されている。
【００５０】
その後、画像形成装置５は、図５に示すように、該乗り物に対してネットワークＮＷを介して記憶装置４に予約座席の問い合わせを行い（ステップＳ１０１）、予約座席があるかチェックする（ステップＳ１０２）。
【００５１】
ステップＳ１０２で、予約座席がないときには、画像形成装置５は、携帯情報端末からの印刷を許可することなく、そのまま処理を終了する。
【００５２】
ステップＳ１０２で、予約座席があるときには、画像形成装置５は、予約座席に対応するＩＰアドレス（ネットワークアドレス）を通信制御部６８のネットワークアドレス・予約座席情報を参照して特定し、該ＩＰアドレスの通信端末３に接続された携帯情報端末からの印刷要求を許可する印刷可否情報を通信制御部６８等に保存し（ステップＳ１０３）、印刷要求があるかチェックする（ステップＳ１０４）。画像形成装置５は、ステップＳ１０４で、印刷要求がない場合には、そのまま処理を終了し、印刷要求があると、該印刷要求が許可されたＩＰアドレス（ネットワークアドレス）からの印刷要求であるか、すなわち、印刷要求が座席予約され改札装置２を通過した乗客として記憶装置４に登録されている予約座席に設けられている通信端末３のＩＰアドレスからの印刷要求であるかをチェックする（ステップＳ１０５）。
【００５３】
ステップＳ１０５で、許可されたＩＰアドレスからの印刷要求であると、画像形成装置５は、該印刷要求を許可して、該印刷要求を受け付け、印刷データとＩＰアドレスを対応付けて画像メモリ部６３等に格納して、所定タイミングに該印刷データの印刷処理を実行する（ステップＳ１０６）。
【００５４】
ステップＳ１０５で、印刷要求が許可されたＩＰアドレスからの印刷要求でないときには、画像形成装置５は、該印刷要求の印刷要求元に、該印刷要求を受け付けられない旨を通知して、印刷を行うことなく処理を終了する（ステップＳ１０７）。
【００５５】
このように、本実施例の画像形成システム１及び画像形成装置５は、公共交通機関の乗り物に乗る乗客の携帯する予約座席を特定する予約座席情報の記録されている携帯記憶媒体Ｒｍから該予約座席情報を改札装置２で読み取り、該乗り物の該予約座席と改札装置２で読み取られてネットワークＮＷを介して送られてくる予約座席情報を対応させて乗降情報として記憶装置４に記憶する。そして、画像形成装置５は、該乗り物の該予約座席に設けられてネットワークＮＷに接続されネットワークＮＷ上のＩＰアドレス（ネットワークアドレス）が割り当てられている通信端末３に接続される携帯情報端末からネットワークＮＷに接続されている画像形成装置５に印刷データを送信して印刷要求が行われると、該通信端末３のＩＰアドレスと該予約座席とを対応させて記憶している画像形成装置５の通信制御部６から該通信端末３のＩＰアドレスに対応する予約座席を特定して記憶装置４から該予約座席の乗客が改札装置２を乗り物に乗るために通過していることが確認されていると、該印刷データの印刷を許可している。
【００５６】
したがって、公共交通機関の乗り物上に搭載されている画像形成装置５の利用者である乗客による認証の手間を省きつつ、個人情報を用いることなく予約座席情報に基づいて不正利用を防止することができ、利用性を向上させることができるとともに、個人情報を保護しつつ画像形成装置５の適正な利用を図ることができる。
【００５７】
なお、上記の場合、画像形成装置５は、図６に示すように、印刷要求を行ってきたＩＰアドレスの乗客の乗車区間（予約区間）をチェックして、該乗客の乗車区間内でのみ印刷要求を許可するようにしてもよい。なお、図６において、図５と同様の処理ステップには、同一のステップナンバを付与して、その説明を簡略化する。
【００５８】
すなわち、画像形成システム１は、予め乗り物の予約座席の予約が行われると、上記同様に、図示しない公共交通管理システムの管理装置が記憶装置４に必要な予約情報を登録するが、このとき、予約座席毎に予約の有無と予約区間（乗車区間）を登録し、その後、乗り物の発車時刻に応じて、改札装置２による改札を開始し、改札装置２に対して、予約座席を予約している乗客が該乗客に対して予め発行されて予約座席情報の記録されている非接触型の携帯記憶媒体Ｒｍをかざす等によって近づけると、改札装置２が該携帯記憶媒体Ｒｍの記憶内容である予約座席情報を読み取り、ネットワークＮＷを介して記憶装置４に送る。この場合、携帯記憶媒体Ｒｍの予約座席情報としては、少なくとも予約座席と予約区間が記録されている。
【００５９】
記憶装置４は、改札装置２から予約座席情報が送られてくると、該乗り物に対して発行した携帯記憶媒体Ｒｍを携帯した乗客が改札装置２を通過した旨とその乗車区間を該予約座席に対応させて登録する。
【００６０】
その後、画像形成装置５は、図６に示すように、該乗り物に対してネットワークＮＷを介して記憶装置４に予約座席の問い合わせを行い（ステップＳ１０１）、予約座席があるかチェックする（ステップＳ１０２）。ステップＳ１０２で、予約座席がないときには、画像形成装置５は、携帯情報端末からの画像形成装置５の利用を許可することなく、そのまま処理を終了する。
【００６１】
ステップＳ１０２で、予約座席があるときには、画像形成装置５は、該乗り物の現在の通行位置と各予約座席の予約区間（乗車区間）を問い合わせ（ステップＳ２０１）、乗り物の現在の通行位置が予約座席の予約区間（乗車区間）内である予約座席があるときには、該予約座席に対応するＩＰアドレスからの印刷要求を許可する印刷可否情報を通信制御部６８等に保存して（ステップＳ１０３）、印刷要求があるかチェックする（ステップＳ１０４）。
【００６２】
画像形成装置５は、ステップＳ１０４で、印刷要求がない場合には、そのまま処理を終了し、印刷要求があると、該印刷要求が許可されたＩＰアドレス（ネットワークアドレス）からの印刷要求であるか、すなわち、印刷要求が座席予約され改札装置２を通過した乗客として記憶装置４に登録されている予約座席に設けられている通信端末３のＩＰアドレスからの印刷要求であるかをチェックする（ステップＳ１０５）。
【００６３】
ステップＳ１０５で、許可されたＩＰアドレスからの印刷要求であると、画像形成装置５は、該印刷要求を許可して、該印刷要求を受け付け、印刷データとＩＰアドレスを対応付けて画像メモリ部６３等に格納して、所定タイミングに該印刷データの印刷処理を実行する（ステップＳ１０６）。
【００６４】
ステップＳ１０５で、印刷要求が許可されたＩＰアドレスからの印刷要求でないときには、画像形成装置５は、該印刷要求の印刷要求元に、該印刷要求を受け付けられない旨を通知して、印刷を行うことなく処理を終了する（ステップＳ１０７）。
【００６５】
このようにすると、乗客が乗り物に乗ったか否かだけでなく、該乗客の予約座席の予約区間（乗車区間）に基づいて印刷の許可・禁止を制御することができ、画像形成装置５の不正利用をより一層適切に防止することができる。
【実施例２】
【００６６】
図７及び図８は、本発明の本発明の画像形成装置、画像形成システム、画像形成制御方法、画像形成制御プログラム及び記録媒体の第２実施例を示す図であり、図７は、本発明の画像形成装置、画像形成システム、画像形成制御方法、画像形成制御プログラム及び記録媒体の第２実施例の画像形成制御処理を示すフローチャート、図８は、予約区間をも考慮して画像形成制御する画像形成制御処理を示すフローチャートである。
【００６７】
なお、本実施例は、上記第１実施例の画像形成システム１及び画像形成装置５と同様の画像形成システム及び画像形成装置に適用したものであり、本実施例の説明においては、必要に応じて、上記第１実施例で用いた符号をそのまま用いて説明する。
【００６８】
本実施例の画像形成システム１は、画像形成装置５が、予約座席情報の記録されている非接触型の携帯記憶媒体Ｒｍが近づけられると、該携帯記憶媒体Ｒｍと非接触で通信して、該携帯記憶媒体Ｒｍの記憶内容である予約座席情報を読み取る読み取り部（読み取り手段）６７を備えている。
【００６９】
そして、画像形成装置５は、通信端末３に接続された携帯情報端末から印刷データが送信されてくると、該印刷データを受信して、該印刷データを送信してきた通信端末３のＩＰアドレスと該印刷データを対応させて画像メモリ部６３に保管する。
【００７０】
画像形成装置５は、その後、乗客が携帯記憶媒体Ｒｍを読み取り部６７に近づけると、読み取り部６７が該携帯記憶媒体Ｒｍの記憶内容である予約座席情報の読み取りを行い、操作パネル６４を使用して印刷要求が行われると、該予約座席に対応する印刷データの印刷処理を実行する。
【００７１】
すなわち、画像形成装置５は、図７に示すように、読み取り部６７が携帯記憶媒体Ｒｍの読み取りを行うと（ステップＳ３０１）、該読み取った携帯記憶媒体Ｒｍに記録されている予約座席情報の予約座席に対応するＩＰアドレスに関連する印刷データを画像メモリ部６３から検索し（ステップＳ３０２）、該ＩＰアドレスに関連する印刷データが画像メモリ部６３に保管されているかチェックする（ステップＳ３０３）。
【００７２】
画像形成装置５は、ステップＳ３０３で、携帯記憶媒体Ｒｍの予約座席に対応するＩＰアドレスに関連する印刷データが画像メモリ部６３に保管されていると、該印刷データの印刷を許可して印刷処理する（ステップＳ３０４）。
【００７３】
画像形成装置５は、ステップＳ３０３で、携帯記憶媒体Ｒｍの予約座席に対応するＩＰアドレスに関連する印刷データが画像メモリ部６３に保管されていないときには、印刷データが保管されていない旨を、操作パネル６４のディスプレイに表示出力する等の方法で、通知して処理を終了する（ステップＳ３０５）。
【００７４】
このように、本実施例の画像形成システム１は、画像形成装置５が、印刷要求を行う乗客の携帯する携帯記憶媒体Ｒｍを読み取る読み取り部６７を備えており、通信端末３から送信されてきた印刷データを一時画像メモリ部６３に保管して、読み取り部６７の読み取った携帯記憶媒体Ｒｍの予約座席情報に基づいて画像メモリ部６３内の印刷データの印刷の許可・禁止を制御している。
【００７５】
したがって、改札装置２で読み取った携帯記憶媒体Ｒｍの予約座席情報だけでなく、画像形成装置５の読み取り部６７による携帯記憶媒体Ｒｍの読み取り結果に基づいて、画像形成装置５での印刷データの印刷の許可・禁止を制御することができ、利用性を向上させることができるとともに、個人情報をより一層保護しつつ画像形成装置５のより一層適正な利用を図ることができる。
【００７６】
なお、上記の場合、画像形成装置５は、図８に示すように、印刷要求を行ってきたＩＰアドレス（予約座席）の乗客の乗車区間（予約区間）をチェックして、該乗客の乗車区間（予約区間）内でのみ印刷要求を許可するようにしてもよい。なお、図８において、図７と同様の処理ステップには、同一のステップナンバを付与して、その説明を簡略化する。
【００７７】
すなわち、画像形成システム１は、予め乗り物の予約座席の予約が行われると、上記同様に、図示しない公共交通管理システムの管理装置が記憶装置４に必要な予約情報を登録するが、このとき、予約座席毎に予約の有無と予約区間（乗車区間）を登録し、その後、通信端末３に接続された携帯情報端末から印刷データが画像形成装置５に送信されてくると、画像形成装置５は、該印刷データを受信して、該印刷データを送信してきた通信端末３のＩＰアドレスと該印刷データを対応させて画像メモリ部６３に保管する。
【００７８】
画像形成装置５は、その後、乗客が携帯記憶媒体Ｒｍを読み取り部６７に近づけると、読み取り部６７が該携帯記憶媒体Ｒｍの記憶内容である予約座席情報の読み取りを行い、操作パネル６４を使用して印刷要求が行われると、該予約座席と予約区間（乗車区間）をチェックして該予約座席（ＩＰアドレス）に対応する印刷データの印刷処理を実行する。
【００７９】
すなわち、画像形成装置５は、図８に示すように、読み取り部６７が携帯記憶媒体Ｒｍの読み取りを行うと（ステップＳ３０１）、該読み取った携帯記憶媒体Ｒｍに記録されている予約座席情報の予約座席に対応するＩＰアドレスに関連する印刷データを画像メモリ部６３から検索し（ステップＳ３０２）、該ＩＰアドレスに関連する印刷データが画像メモリ部６３に保管されているかチェックする（ステップＳ３０３）。
【００８０】
画像形成装置５は、ステップＳ３０３で、携帯記憶媒体Ｒｍの予約座席に対応するＩＰアドレスに関連する印刷データが画像メモリ部６３に保管されていると、記憶装置４に対して、該乗り物の現在の通行位置と該予約座席の予約区間（乗車区間）を問い合わせ（ステップＳ４０１）、乗り物の現在の通行位置が該印刷データに対応付けられたＩＰアドレスの予約座席の予約区間（乗車区間）内であるかチェックする（ステップＳ４０２）。
【００８１】
ステップＳ４０２で、乗り物の現在の通行位置が該印刷データに対応付けられたＩＰアドレスの予約座席の予約区間（乗車区間）内であると、画像形成装置５は、該印刷データの印刷を許可して、画像メモリ部６３から該印刷データを読み出して印刷処理する（ステップＳ３０４）。
【００８２】
画像形成装置５は、ステップＳ３０３で、携帯記憶媒体Ｒｍの予約座席に対応するＩＰアドレスに関連する印刷データが画像メモリ部６３に保管されていないとき、または、ステップＳ４０２で、乗り物の現在の通行位置が該印刷データに対応付けられたＩＰアドレスの予約座席の予約区間（乗車区間）から外れているときには、印刷データが保管されていない旨を、操作パネル６４のディスプレイに表示出力する等の方法で、通知して処理を終了する（ステップＳ３０５）。
【００８３】
このようにすると、乗客が乗り物に乗ったか否かだけでなく、該乗客の予約座席の予約区間（乗車区間）に基づいて印刷の許可・禁止を制御することができ、画像形成装置５の不正利用をより一層適切に防止することができる。
【実施例３】
【００８４】
図９及び図１０は、本発明の本発明の画像形成装置、画像形成システム、画像形成制御方法、画像形成制御プログラム及び記録媒体の第３実施例を示す図であり、図９は、本発明の画像形成装置、画像形成システム、画像形成制御方法、画像形成制御プログラム及び記録媒体の第３実施例の画像形成制御処理を示すフローチャート、図１０は、予約区間をも考慮して画像形成制御する画像形成制御処理を示すフローチャートである。
【００８５】
なお、本実施例は、上記第１実施例の画像形成システム１及び画像形成装置５と同様の画像形成システム及び画像形成装置に適用したものであり、本実施例の説明においては、必要に応じて、上記第１実施例で用いた符号をそのまま用いて説明する。
【００８６】
本実施例の画像形成システム１は、画像形成装置５が、予約座席情報に基づいて画像メモリ部６３の印刷データを消去する画像形成制御処理を行う。すなわち、画像形成制御システム１は、予約座席の乗客が退場した（降りた）か否かの退場情報を改札装置２によって取得し、退場すると、該予約座席の印刷データが画像メモリ部６３に保管されているかチェックして、該印刷データが画像メモリ部６３に保管されていると、削除する。
【００８７】
すなわち、予約座席に対応した印刷データを画像メモリ部６３に保管して印刷処理を行うが、予約座席に関連しない印刷データが画像メモリ部６３に保管されていると、画像メモリ部６３のメモリ容量を不必要に消費する。
【００８８】
そこで、画像形成制御システム１は、予約座席の乗客が退場したか否かの退場情報を改札装置２によって取得し、退場すると、画像形成装置５が、該予約座席の印刷データが画像メモリ部６３に保管されているかチェックして、該印刷データが画像メモリ部６３に保管されていると、図９に示すように、該印刷データを画像メモリ部６３から削除する印刷データ削除を行う画像形成制御処理を実行する。
【００８９】
すなわち、画像形成装置５は、図９に示すように、所定の時間間隔で、画像メモリ部６３に印刷データがあるかチェックし（ステップＳ５０１）、印刷データがないときには、削除する対象がないため、そのまま処理を終了する。
【００９０】
ステップＳ５０１で、画像メモリ部６３に印刷データが保管されているときには、記憶装置４に対して該印刷データに対応するＩＰアドレスの予約座席の予約が行われているかチェックし（ステップＳ５０２）、該印刷データに対応するＩＰアドレスの予約座席の予約が行われているかを記憶装置４に問い合わせて（ステップＳ５０２）、該印刷データに対応するＩＰアドレス（予約座席）の予約が行われているかチェックする（ステップＳ５０３）。
【００９１】
ステップＳ５０３で、該予約座席の予約がないときには、画像形成装置５は、該印刷データの印刷が禁止されているため、該印刷データを画像メモリ部６３から削除し（ステップＳ５０４）、予約座席の予約があるときには、該印刷データの印刷要求がその後に行われる可能性があるため、該印刷データの削除を行うことなく、処理を終了する。
【００９２】
このように、本実施例の画像形成システム１は、改札装置２が、乗り物から降りる乗客の携帯する携帯記憶媒体Ｒｍの予約座席情報を読み取り、記憶装置４が、予約座席情報として該改札装置２の読み取った予約座席の乗客の該乗り物から降りた情報をも記憶し、画像形成装置５が、画像メモリ部６３の印刷データのうち、記憶装置４の予約座席情報に乗り物から降りた情報の記憶されている予約座席に対応する印刷データを削除している。
【００９３】
したがって、印刷の禁止対象となる印刷データを画像メモリ部６３から消去して、画像メモリ部６３の有効利用を図ることができ、コストを削減しつつ、画像形成装置５の不正利用を適切に防止することができる。
【００９４】
なお、上記の場合、画像形成装置５は、図１０に示すように、印刷データのＩＰアドレスの通信端末３に割り当てられている予約座席の乗客の乗車区間（予約区間）をチェックして、該乗客の乗車区間（予約区間）内でのみ印刷データを画像メモリ部６３内に保管し、該乗車区間以外では、画像メモリ部６３から印刷データを削除するようにしてもよい。なお、図１０において、図９と同様の処理ステップには、同一のステップナンバを付与して、その説明を簡略化する。
【００９５】
すなわち、画像形成装置５は、所定の時間間隔で、画像メモリ部６３に印刷データがあるかチェックし（ステップＳ５０１）、印刷データがないときには、削除する対象がないため、そのまま処理を終了する。
【００９６】
ステップＳ５０１で、画像メモリ部６３に印刷データが保管されているときには、記憶装置４に対して該印刷データに対応するＩＰアドレスの予約座席の予約が行われているかチェックし（ステップＳ５０２）、該印刷データに対応するＩＰアドレスの予約座席の予約が行われているかを記憶装置４に問い合わせて（ステップＳ５０２）、該印刷データに対応するＩＰアドレスの予約座席の予約が行われているかチェックする（ステップＳ５０３）。
【００９７】
ステップＳ５０３で、該予約座席の予約がないときには、画像形成装置５は、該印刷データの印刷が不可であるため、該印刷データを画像メモリ部６３から削除し（ステップＳ５０４）、予約座席の予約があるときには、乗り物の現在の通行位置が該印刷データに対応付けられたＩＰアドレスの予約座席の予約区間（乗車区間）内であるかチェックする（ステップＳ６０１）。
【００９８】
ステップＳ６０１で、乗り物の現在の通行位置が該印刷データに対応付けられたＩＰアドレスの予約座席の予約区間（乗車区間）内でないときには、画像形成装置５は、該印刷データの印刷が不可であると判断して、該印刷データを画像メモリ部６３から削除し（ステップＳ５０４）、ステップＳ６０１で、乗り物の現在の通行位置が該印刷データに対応付けられたＩＰアドレスの予約座席の予約区間（乗車区間）内であると、該印刷データの印刷要求がその後に行われる可能性があるため、該印刷データの削除を行うことなく、処理を終了する。
【００９９】
このように、画像形成装置５は、乗り物の現在位置が、予約座席の予約区間（乗車区間）外となると、該乗り物の現在位置が予約区間外となった予約座席に関連付けられている印刷データを画像メモリ部６３から削除している。したがって、印刷データの要不要をより一層詳細に判断して、印刷データの削除を行うことができる。その結果、画像メモリ部６３の有効利用をより一層図ることができ、コストをより一層削減することができる。
【実施例４】
【０１００】
図１１〜図１３は、本発明の本発明の画像形成装置、画像形成システム、画像形成制御方法、画像形成制御プログラム及び記録媒体の第４実施例を示す図であり、図１１は、本発明の画像形成装置、画像形成システム、画像形成制御方法、画像形成制御プログラム及び記録媒体の第４実施例の画像形成システムのシステム構成図である。
【０１０１】
なお、本実施例は、上記第１実施例の画像形成システム１及び画像形成装置５と同様の画像形成システム及び画像形成装置に適用したものであり、本実施例の説明においては、上記第１実施例と同様の構成部分には、同一の符号を付して、その説明を簡略化し、また、図示しない部分についても、必要に応じて、第１実施例で用いた符号をそのまま用いて説明する。
【０１０２】
図１１において、画像形成システム１００は、ＬＡＮ等のネットワークＮＷに、通信端末３と画像形成装置５が接続されており、画像形成装置５を利用する乗客が、携帯記憶媒体Ｒｍを所持している。このネットワークＮＷは、列車（新幹線、特急列車等）、飛行機、フェリー船等の公共交通機関に関する既存の公共交通管理システムにおけるネットワークに適用可能である。
【０１０３】
本実施例の画像形成システム１００は、第１実施例から第３実施例までの公共交通機関の乗り物に対する改札装置２での改札と記憶装置４への予約座席への予約の登録を利用するのではなく、画像形成装置５の通信制御部６８が、公共交通機関の乗り物の予約座席と該予約座席に対応するＩＰアドレスを予約座席−ＩＰアドレステーブルとして内部メモリに記憶し、画像形成装置５から印刷要求があると、該予約座席−ＩＰアドレステーブルに基づいて、画像形成装置５への印刷要求がどの予約座席からの印刷要求であるかを判断する。
【０１０４】
そして、画像形成システム１００は、画像形成装置５を利用する乗客が、画像形成装置５の利用に先立って、乗り物に搭載されている画像形成装置５の設置場所で携帯記憶媒体Ｒｍを、該画像形成装置５の読み取り部６７にかざして予約座席情報の読み取りを行わせ、その後、乗り物の予約座席で、通信端末３に携帯情報端末を接続して、印刷データと印刷要求を画像形成装置５に送ると、画像形成装置５が、該印刷データと印刷要求に基づいて画像形成（印刷）を行う。
【０１０５】
すなわち、画像形成装置５は、図１２に示すように、所定タイミング毎に、読み取り部６７による携帯記憶媒体Ｒｍの予約座席情報の読み込みがあるかチェックし（ステップＳ７０１）、予約座席情報の読み込みがあると、通信制御部６８の予約座席−ＩＰアドレステーブルを参照して、該予約座席に対応するＩＰアドレスが許可済みであるかチェックする（ステップＳ７０２）。
【０１０６】
ステップＳ７０２で、予約座席に対応するＩＰアドレスが許可済みでないときには、画像形成装置５は、該予約座席に対応するＩＰアドレスからの印刷要求を許可する設定を通信制御部６８の該予約座席に対応させて登録し（ステップＳ７０３）、ステップＳ７０２で、該予約座席に対応するＩＰアドレスが許可済みのときには、該予約座席に対するＩＰアドレスからの印刷要求を禁止する（ステップＳ７０４）。
【０１０７】
その後、予約座席の予約を行っている乗客は、予約座席の通信端末３に携帯情報端末を接続して、印刷データと印刷要求を画像形成装置５に送ることで、印刷要求を行う。
【０１０８】
画像形成装置５は、ステップＳ７０１で、読み取り部６７による携帯記憶媒体Ｒｍの予約座席情報の読み込みがないときには、印刷要求があるかチェックし（ステップＳ７０５）、印刷要求がないときには、そのまま処理を終了する。
【０１０９】
ステップＳ７０５で、印刷要求があると、画像形成装置５は、該印刷要求を行ってきた通信端末３のＩＰアドレスがステップＳ７０３で印刷許可されたＩＰアドレスであるかチェックし（ステップＳ７０６）、印刷許可されたＩＰアドレスであると、受信した該印刷データとＩＰアドレスを対応させて画像メモリ部６３に保管して、所定タイミングに該画像メモリ部６３に保管した印刷データを読み出して印刷処理を行う（ステップＳ７０７）。
【０１１０】
ステップＳ７０６で、印刷要求してきた通信端末３のＩＰアドレスが印刷許可されたＩＰアドレスでないときには、画像形成装置５は、該印刷要求元に対して、該印刷要求を受け付けられない旨を通知して、印刷を行うことなく処理を終了する（ステップＳ７０８）。
【０１１１】
このように、本実施例の画像形成システム１００は、画像形成装置５の搭載する読み取り部６７が、乗り物の予約座席を特定する予約座席情報が記録され乗客が携帯する携帯記憶媒体Ｒｍの予約座席情報を読み取ると、画像形成装置５が、乗り物の予約座席に設けられてネットワークＮＷに接続されネットワークＮＷ上のＩＰアドレスが割り当てられていて携帯情報端末の接続される通信端末３に接続されている該携帯情報端末からの印刷データに対する印刷を許可する。
【０１１２】
したがって、画像形成装置５のみで予約座席の通信端末３からの印刷データの印刷の許可・禁止を予約座席情報に基づいて、適切に制御することができ、より一層安価に画像形成装置５の利用者である乗客の認証の手間を省きつつ、個人情報を用いることなく不正利用を防止することができるとともに、画像形成装置５の適切な利用を図ることができる。
【０１１３】
なお、上記の場合、画像形成装置５は、図１３に示すように、印刷要求を行ってきたＩＰアドレスの乗客の乗車区間（予約区間）をチェックして、該乗客の乗車区間内でのみ印刷要求を許可するようにしてもよい。なお、図１３において、図１２と同様の処理ステップには、同一のステップナンバを付与して、その説明を簡略化する。
【０１１４】
すなわち、画像形成装置５は、図１３に示すように、所定タイミング毎に、読み取り部６７による携帯記憶媒体Ｒｍの予約座席情報（予約座席と乗車区間の情報）の読み込みがあるかチェックし（ステップＳ７０１）、予約座席情報の読み込みがあると、公共交通管理システムから乗り物の現在の位置を取得して該乗り物の現在の位置が予約座席情報の予約区間（乗車区間）内であるかチェックする（ステップＳ８０１）。この場合、携帯記憶媒体Ｒｍには、予約座席情報として、予約座席と予約区間（乗車区間）の情報が格納されている。
【０１１５】
ステップＳ８０１で、乗り物の現在の位置が予約区間（乗車区間）であると、画像形成装置５は、通信制御部６８の予約座席−ＩＰアドレステーブルを参照して、該予約座席に対応するＩＰアドレスが該予約区間（乗車区間）において許可済みであるかチェックし（ステップＳ７０２）、
ステップＳ７０２で、予約座席に対応するＩＰアドレスが許可済みでないときには、画像形成装置５は、該予約座席に対応するＩＰアドレスからの印刷要求を許可する設定を通信制御部６８の該予約座席に対応させて登録し（ステップＳ７０３）、ステップＳ７０２で、該予約座席に対応するＩＰアドレスが許可済みのときには、該予約座席に対するＩＰアドレスからの印刷要求を禁止する設定とする（ステップＳ７０４）。
【０１１６】
その後、予約座席の予約を行っている乗客は、予約座席の通信端末３に携帯情報端末を接続して、印刷データと印刷要求を画像形成装置５に送ることで、印刷要求を行う。
【０１１７】
画像形成装置５は、ステップＳ７０１で、読み取り部６７による携帯記憶媒体Ｒｍの予約座席情報の読み込みがないときには、印刷要求があるかチェックし（ステップＳ７０５）、印刷要求がないときには、そのまま処理を終了する。
【０１１８】
ステップＳ７０５で、印刷要求があると、画像形成装置５は、該印刷要求を行ってきた通信端末３のＩＰアドレスがステップＳ７０３で印刷許可されたＩＰアドレスであるかチェックし（ステップＳ７０６）、印刷許可されたＩＰアドレスであると、受信した該印刷データとＩＰアドレスを対応させて画像メモリ部６３に保管して、所定タイミングに該画像メモリ部６３に保管した印刷データを読み出して印刷処理する（ステップＳ７０７）。
【０１１９】
ステップＳ７０６で、印刷要求してきた通信端末３のＩＰアドレスが印刷許可されたＩＰアドレスでないときには、画像形成装置５は、該印刷要求元に対して、該印刷要求を受け付けられない旨を通知して、印刷を行うことなく処理を終了する（ステップＳ７０８）。
【０１２０】
このように、画像形成装置５は、乗り物の現在位置が読み取り部６７の読み取った携帯記憶媒体Ｒｍの予約座席の予約区間内であるときにのみ印刷データの印刷を許可する。したがって、画像形成装置５のみで予約座席の通信端末３からの印刷データの印刷の許可・禁止をより一層適切に制御することができ、より一層安価に画像形成装置５の利用者である乗客の認証の手間を省きつつ、個人情報を用いることなく不正利用を防止することができる。
【実施例５】
【０１２１】
図１４及び図１５は、本発明の本発明の画像形成装置、画像形成システム、画像形成制御方法、画像形成制御プログラム及び記録媒体の第５実施例を示す図であり、図１４は、本発明の画像形成装置、画像形成システム、画像形成制御方法、画像形成制御プログラム及び記録媒体の第５実施例の画像形成制御処理を示すフローチャート、図１５は、予約区間をも考慮して画像形成制御する画像形成制御処理を示すフローチャートである。
【０１２２】
なお、本実施例は、上記第４実施例の画像形成システム１００及び画像形成装置５と同様の画像形成システム及び画像形成装置に適用したものであり、本実施例の説明においては、必要に応じて、第４実施例で用いた符号をそのまま用いて説明する。
【０１２３】
すなわち、画像形成システム１００は、ＬＡＮ等のネットワークＮＷに、通信端末３と画像形成装置５が接続されており、画像形成装置５を利用する乗客が、携帯記憶媒体Ｒｍを所持している。
【０１２４】
本実施例の画像形成システム１００は、第４実施例と同様に、画像形成装置５の通信制御部６８が、公共交通機関の乗り物の予約座席と該予約座席に対応するＩＰアドレスを予約座席−ＩＰアドレステーブルとして内部メモリに記憶し、画像形成装置５から印刷要求があると、該予約座席−ＩＰアドレステーブルに基づいて、画像形成装置５への印刷要求がどの予約座席からの印刷要求であるかを判断する。
【０１２５】
そして、画像形成システム１００で、画像形成装置５を利用する乗客は、予約座席で、通信端末３に携帯情報端末を接続して、印刷データと印刷要求を画像形成装置５に送り、画像形成装置５の設置場所に行って、携帯記憶媒体Ｒｍを読み取り部６７にかざして予約座席情報の読み取りを行わせることで、画像形成装置５に画像形成を行わせる。
【０１２６】
すなわち、画像形成装置５は、図１４に示すように、所定タイミング毎に、読み取り部６７による携帯記憶媒体Ｒｍの予約座席情報の読み込みがあるかチェックし（ステップＳ９０１）、予約座席情報の読み込みがあると、通信制御部６８の予約座席−ＩＰアドレステーブルを参照して、該予約座席に対応するＩＰアドレスが許可済みであるかチェックする（ステップＳ９０２）。
【０１２７】
ステップＳ９０２で、予約座席に対応するＩＰアドレスが許可済みでないときには、画像形成装置５は、該予約座席の乗客に対して印刷許可を行うことができないため、そのまま処理を終了する。
【０１２８】
ステップＳ９０２で、予約座席に対応するＩＰアドレスが許可済みであると、画像形成装置５は、該予約座席に対応するＩＰアドレスと関連する印刷データを画像メモリ部６３から検索し（ステップＳ９０３）、該ＩＰアドレスに関連する印刷データが画像メモリ部６３に保管されているかチェックする（ステップＳ９０４）。
【０１２９】
ステップＳ９０４で、予約座席のＩＰアドレスに関連する印刷データがあるときには、画像形成装置５は、該印刷データを画像メモリ部６３から読み取って画像形成処理（印刷処理）を行う（ステップＳ９０５）。ステップＳ９０４で、予約座席のＩＰアドレスに関連する印刷データがないときには、画像形成装置５は、操作パネル６４のディスプレイに印刷データがない旨を表示する等の方法で通知して、印刷を行うことなく処理を終了する（ステップＳ９０６）。
【０１３０】
このように、本実施例の画像形成システム１は、画像形成装置５が、通信端末３を介して携帯情報端末から印刷データが送信されてくると、該印刷データを画像メモリ部６３に該通信端末３のＩＰアドレスに関連付けて一旦保管し、読み取り部６７が携帯記憶媒体Ｒｍの予約座席情報を読み取ると、画像メモリ部６３に保管されている印刷データのうち予約座席情報に対応する印刷データの印刷を許可している。
【０１３１】
したがって、通信端末３から印刷データを送信してから画像形成装置５の設置場所で、携帯記憶媒体Ｒｍを読み取らせることで印刷することができ、より一層安価に画像形成装置５の利用者である乗客の認証の手間を省きつつ、個人情報を用いることなく不正利用を防止することができる。
【０１３２】
なお、上記の場合、画像形成装置５は、図１５に示すように、予約座席情報の読み取りを行った予約座席の乗客の予約区間（乗車区間）をチェックして、該乗客の予約区間（乗車区間）内でのみ印刷処理を実行するようにしてもよい。なお、図１５において、図１４と同様の処理ステップには、同一のステップナンバを付与して、その説明を簡略化する。
【０１３３】
すなわち、画像形成装置５は、図１５に示すように、所定タイミング毎に、読み取り部６７による携帯記憶媒体Ｒｍの予約座席情報（予約座席と予約区間等の情報）の読み込みがあるかチェックし（ステップＳ９０１）、予約座席情報の読み込みがあると、通信制御部６８の予約座席−ＩＰアドレステーブルを参照して、該予約座席に対応するＩＰアドレスが許可済みであるかチェックする（ステップＳ９０２）。この場合、携帯記憶媒体Ｒｍには、予約座席情報として、予約座席と乗車区間の情報が格納されており、画像形成装置５は、読み取り部６７で予約座席情報として予約座席と乗車区間の情報を読み取る。
【０１３４】
ステップＳ９０２で、予約座席に対応するＩＰアドレスが許可済みでないときには、画像形成装置５は、該予約座席の乗客に対して印刷許可を行うことができないため、そのまま処理を終了する。
【０１３５】
ステップＳ９０２で、予約座席に対応するＩＰアドレスが許可済みであると、画像形成装置５は、該予約座席に対応するＩＰアドレスと関連する印刷データを画像メモリ部６３から検索し（ステップＳ９０３）、該ＩＰアドレスに関連する印刷データが画像メモリ部６３に保管されているかチェックする（ステップＳ９０４）。
【０１３６】
ステップＳ９０４で、予約座席のＩＰアドレスに関連する印刷データがあるときには、画像形成装置５は、公共交通管理システムから乗り物の現在の位置を取得して該乗り物の現在の位置が該予約座席の予約区間（乗車区間）内であるかチェックし（ステップＳ１００１）、乗り物の現在の位置が予約区間内であると、該予約座席に対応するＩＰアドレスに関連する印刷データを画像メモリ部６３から読み取って画像形成処理（印刷処理）を行う（ステップＳ９０５）。
【０１３７】
ステップＳ９０４で、予約座席のＩＰアドレスに関連する印刷データがないときには、画像形成装置５は、操作パネル６４のディスプレイに印刷データがない旨を表示する等の方法で通知して、印刷を行うことなく処理を終了する（ステップＳ９０６）。
【０１３８】
このように、本実施例の画像形成システム１００は、画像形成装置５は、乗り物の現在位置が読み取り部６７の読み取った携帯記憶媒体Ｒｍの予約座席の予約区間内であるときにのみ印刷データの印刷を許可すると、画像形成装置５のみで予約座席の通信端末３からの印刷データの印刷の許可・禁止をより一層適切に制御することができ、より一層安価に画像形成装置５の利用者である乗客の認証の手間を省きつつ、個人情報を用いることなく不正利用を防止することができる。
【０１３９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１４０】
本発明は、公共交通機関の乗り物上での利用認証を適切に行って画像形成する画像形成装置、画像形成装置、画像形成システム、画像形成制御方法、画像形成制御プログラム及び記録媒体に利用することができる。
【図面の簡単な説明】
【０１４１】
【図１】第１実施例の画像形成システムのシステム構成図。
【図２】画像形成装置の要部概略構成図。
【図３】画像形成装置のブロック構成図。
【図４】画像形成装置の制御部のブロック構成図。
【図５】第１実施例の画像形成制御処理を示すフローチャート。
【図６】第１実施例の予約区間についても確認する画像形成制御処理を示すフローチャート。
【図７】第２実施例の画像形成制御処理を示すフローチャート。
【図８】第２実施例の予約区間についても確認する画像形成制御処理を示すフローチャート。
【図９】第３実施例の画像形成制御処理を示すフローチャート。
【図１０】第３実施例の予約区間についても確認する画像形成制御処理を示すフローチャート。
【図１１】第４実施例の画像形成システムのシステム構成図。
【図１２】第４実施例の画像形成制御処理を示すフローチャート。
【図１３】第４実施例の予約区間についても確認する画像形成制御処理を示すフローチャート。
【図１４】第５実施例の画像形成制御処理を示すフローチャート。
【図１５】第５実施例の予約区間についても確認する画像形成制御処理を示すフローチャート。
【符号の説明】
【０１４２】
１  画像形成システム
２  改札装置
３  通信端末
４  記憶装置
５  画像形成装置
ＮＷ  ネットワーク
Ｒｍ  携帯記憶媒体
１０  給紙部
１１  用紙
１２  給紙カセット
１３  送り出しローラ
１４  レジストローラ対
２０  光書込ユニット
３０Ｙ、３０Ｍ、３０Ｃ、３０Ｂｋ  感光体
４０  転写ユニット
４１  中間転写ベルト
４２  駆動ローラ
４３  従動ローラ
４４Ｙ、４４Ｍ、４４Ｃ、４４Ｂｋ  転写ローラ
４５  テンションローラ
４６  転写ローラ
５０  定着部
５１  定着ローラ
５２  加圧ローラ
６０  制御部
６１  コンピュータインターフェイス部
６２  プロッタ部
６３  画像メモリ部
６４  操作パネル
６５  プリントジョブ管理部
６６  調整部
６７  読み取り部
６８  通信制御部
６９  記憶部
７０  ＣＰＵ
７１  ＲＯＭ
７２  ＲＡＭ
７３  Ｉ／Ｏ
７４  バス
１００  画像形成システム
【図１】
2010039843.tif 000003
【図２】
2010039843.tif 000004
【図３】
2010039843.tif 000005
【図４】
2010039843.tif 000006
【図５】
2010039843.tif 000007
【図６】
2010039843.tif 000008
【図７】
2010039843.tif 000009
【図８】
2010039843.tif 000010
【図９】
2010039843.tif 000011
【図１０】
2010039843.tif 000012
【図１１】
2010039843.tif 000013
【図１２】
2010039843.tif 000014
【図１３】
2010039843.tif 000015
【図１４】
2010039843.tif 000016
【図１５】
2010039843.tif 000017